(57)【要約】　　　（修正有）【課題】走行車用駆動装置等が予め搭載されたシャーシに対して、被せて固定することによって走行玩具を完成する新規の走行玩具用車体を提供する。【解決手段】ポリエチレンテレフタレート成形製の車体本体１の発光体装着部位７に外装されるレンズ部を有し、上記レンズ部に固定部材が設けられ、上記固定部材が車体本体を貫通して支持部材３に係合して配置され、上記支持部材は上記レンズ部を介して上記車体本体に固定され、上記支持部材に発光ダイオード２が固定されていることを特徴とする。【選択図】　　　　図１
0003096889.tif 000002
【実用新案登録請求の範囲】
【請求項１】
車体本体は合成樹脂成形により構成され、この車体本体には発光体が固定されていることを特徴とする走行玩具用車体。
【請求項２】
上記発光体は支持部材に固定され、上記支持部材は上記車体本体に固定しうる固定部材により固定されていることを特徴とする走行玩具用車体。
【請求項３】
上記固定部材は、熱可塑性合成樹脂製であることを特徴とする請求項２記載の走行玩具用車体。
【請求項４】
上記車体本体の発光体装着部位に外装されるレンズ部を有し、上記固定部材は上記レンズ部に設けられると共に上記車体本体を貫通して上記支持部材に係合して配置され、上記支持部材は上記レンズ部を介して上記車体本体に固定されていることを特徴とする請求項２または３記載の走行玩具用車体。
【請求項５】
上記車体本体は、ポリエチレンテレフタレート製であることを特徴とする請求項１，２、３または４記載の走行玩具用車体。
【請求項６】
上記車体本体は、ポリカーボネート製であることを特徴とする請求項１，２、３または４記載の走行玩具用車体。
【請求項７】
上記発光体は、ＬＥＤであることを特徴とする請求項１〜６のうちの一つの請求項記載の走行玩具用車体。
【考案の詳細な説明】
【０００１】
【考案が属する技術分野】
本考案は、走行車用駆動装置等が予め搭載されたシャーシに対して、被せて固定することによって走行玩具を形成する走行玩具用車体に関する。
【０００２】
【従来の技術】
従来、照明用ライト付きの走行玩具用車体として、熱溶着が容易にはできないポリエチレンテレフタレート製、或はポリカーボネート製のものは見当たらない。その理由は、熱溶着が容易にはできない、コスト高になるというようなことが原因であろうと推測できる。
【０００３】
【考案が解決しようとする課題】
そこで、本考案は、ポリエチレンテレフタレート（ＰＥＴ）、ポリカーボネート（ＰＣ）を用いた新規の、発光体が設けられた走行玩具用車体を提供することを第一の目的とし、さらに発光体の装着を容易にし且つ構成部品の点数を少減させることを第二の目的とし、さらにまた消費電力を少なくさせることを第三の目的とするものである。
【０００４】
【課題を解決するための手段】
上記第一の目的を達成するために、請求項１に係る走行玩具用車体は、車体本体は合成樹脂成形により構成され、この車体本体には発光体が固定されていることを特徴とするものである。
【０００５】
そして、請求項２に係る走行玩具用車体は、上記発光体は支持部材に固定され、上記支持部材は上記車体本体に固定しうる固定部材により固定されていることを特徴とするものである。
【０００６】
また、上記第二の目的を達成するために、請求項３に係る走行玩具用車体は、固定部材は熱可塑性合成樹脂製であることを特徴とするものである。
【０００７】
そして、請求項４に係る走行玩具用車体は、上記車体本体の発光体装着部位に外装されるレンズ部を有し、上記固定部材は上記レンズ部に設けられると共に上記車体本体を貫通して上記支持部材に係合して配置され、上記支持部材は上記レンズ部を介して上記車体本体に固定されていることを特徴とするものである。
【０００８】
そして、請求項５及び請求項６に係る走行玩具用車体は、車体本体は、ポリエチレンテレフタレート製若しくはポリカーボネート製であることを特徴とするものである。
【０００９】
また、上記第三の目的を達成するために、請求項７に係る走行玩具用車体は、発光体は、ＬＥＤであることを特徴とするものである。
【００１０】
【考案の実施の形態】
図１〜図５は、本考案に係る走行玩具用車体の実施の形態を示すものであって、図１は全体を示す一部切截側面図であり、図２は図１Ａ−Ａに沿う拡大断面図であり、図３は図２ＢーＢ線に沿う拡大断面図であり、図４は図２ＣーＣ線に沿う拡大断面図であり、図５は要部の分解斜視図である。
【００１１】
本実施の形態に係る走行玩具用車体３０は、図１に示すように、車体本体１に対して発光体２が、支持部材３及び固定部材４を介して固定されているものである。
【００１２】
本実施の形態にあって車体本体１は、ポリエチレンテレフタレートを以て成形され、そのフロント部分６の両側箇所には発光体装着部位７を有し、図２及び図３に示すように、この発光体装着部位７は前方から見たときに略菱形を呈する浅い凹所８として形成され且つ当該凹所８の底壁の左右両側箇所には後述の固定部材４に設けられた３本の固定用脚部２２，２３が挿通される、各３個の挿通孔９、１０が開設されている。なお、図には示していないが車体本体１の全面には外装印刷が施されている。また、上記車体本体１は、ポリカーボネートを以て成形することができる。
【００１３】
また、発光体２は、本実施の形態にあってはヘッドランプとして構成され、ＬＥＤ（発光ダイオード）であって、支持部材３に固定され、この支持部材３は車体本体１に固定部材４により固定されている。なお、本実施の形態にあっては発光体２がヘッドランプの場合を説明するが、上記発光体をフラッシュランプまたは方向指示器等として構成することもできる。
【００１４】
図５に示すように、上記の支持部材３は、不透明の熱可塑性合成樹脂を用いた成形加工により構成され、その全体の形状は、上側傾斜面１２と下側傾斜面１３と左右両側面１４，１５により囲まれて形成された凹所１６を前面に有しており、且つ平面略菱形を呈し側方から見たときに三角形状を呈するように形成されている。そして、上側傾斜面１２のほぼ中央箇所に装着孔１７が開設され、また上側傾斜面１２及び下側傾斜面３の両側箇所に各３個の貫通孔１８，１９が透設されている。
【００１５】
また、上記固定部材４は、透明の熱可塑性合成樹脂を用いた成形加工により構成され、その全体の形状は、上記凹所１６に配置されうるように、凹所１６と略同寸、同形の略菱形状であって、微妙なアールを以って湾曲形成されたレンズ部２１と、当該レンズ部２１の左右両側箇所の裏面に上記各貫通孔１８，１９と対応する配置で一体に突設された各３本の固定用脚部２２、２３とから形成されている。
【００１６】
なお、上記レンズ部２１は、その外面の中央を盛り上がらせて凸レンズを形成する構成にすること、或は単に度のない板ガラス状の素通し構成にすることができる。図では後者を示している。また、このレンズ部２は図３及び図５からも判るように固定用脚部２２、２３がその固定を担うので、レンズを固定するための固定用枠が不要となり、さらに、固定用脚部２２，２３はレンズ部２１の裏面に一体に突設されているので、固定用脚部２２、２３とレンズ部２１の固定状態は、ビス等の他部品を使用せずに確保できる。
【００１７】
さらに、支持部材３に対する発光体２の固定は、当該発光体２が装着孔１７に嵌着され且つその孔回りがコーキング剤２４により封着処置されることにより行われている。なお、このコーキング材２４による封着処置は省略することもできる。
【００１８】
また、車体本体１に対する支持部材３の固定は、上記固定部材７のレンズ部２１の幅方向両縁部に連設された固定用脚部２２、２３が、上記凹所８に形成された挿通孔９，１０及び支持部材３に設けられた貫通孔１８，１９に挿通され、固定用脚部２２、２３の先端が支持部材３の裏面（外面）に突出した状態としてから当該突出部分を熱コテ（図示せず）によりカシメることにより行われている。なお、当該カシメによる固定の代りにネジ止め、その他の固定方法で行うことができる。
【００１９】
さらに、本考案は、図６に示すような別異の固定部材３３、すなわち微妙なアールを以って湾曲形成されたレンズ部３４と、当該レンズ部３４の左右両側箇所の裏面に一体に突設された板状を呈する左右対の固定用脚部３５，３６とから形成されている固定部材３３を用いて実施することができる。この場合、上記貫通孔１８，１９は、固定用脚部３５，３６の形状に合うように長孔形状にする必要があることはいうまでもない。
【００２０】
【作用】
上記実施の形態に係る走行玩具用車体３０にあっては、次のような手順により、発光体２が車体本体１に取付けられる。
【００２１】
すなわち、先ず支持部材３に設けられた装着孔１７にＬＥＤを発光体２として嵌着すると共に当該嵌着部分にコーキング剤２４による封入処理を行うことで支持部材３に発光体３を固定する工程、発光体２付き支持部材３を車体本体１の発光体装着部位７の内側に当接して貫通孔１８，１９と挿通孔９，１０を一致させる工程、車体本体１の発光体装着部位７の外側に固定部材４を配してから、当該固定部材４に設けられた固定用脚部２２，２３を上記一致状態の挿通孔９，１０及び貫通孔１８，１９に挿通して各固定用脚部２２，２３の先端を支持部材３の裏面（外面）に貫出させる工程、当該固定用脚部２２，２３の先端貫出部に熱コテ（図示せず）によりカシメ加工を施して鍔状の抜止部２５を設ける工程を行って完了すればよい。
【００２２】
上記実施の形態に係る走行玩具用車体３０は、走行車用駆動装置２６、車輪２７、電源用電池３１等が予め搭載されたシャーシ２８に対して、被せて固定することによって走行玩具２９が形成される。また、走行車用駆動装置２６、車輪２７等が予め搭載されたシャーシ２８はそのまま利用し、走行玩具用車体３０だけを他のものに換えることによりユーザーの嗜好に合わせた遊戯ができる。
【００２３】
【考案の効果】
請求項１に係る走行玩具用車体は、車体本体は合成樹脂成形により構成され、この車体本体には発光体が固定されていることを特徴とするので、発光体が設けられた走行玩具用車体を新規に提供できる。
【００２４】
請求項２に係る走行玩具用車体は、発光体は支持部材に固定され、支持部材は車体本体に固定しうる固定部材により固定されていることを特徴とするので、発光体及び支持部材は固定部材により車体本体に一挙に且つ容易に固定できる。
【００２５】
請求項３に係る走行玩具用車体は、固定部材は熱可塑性合成樹脂製であることを特徴とするので、固定部材による発光体及び支持部材の固定は、熱コテ等を用いた熱溶着で簡単且つ能率よく行うことができる。
【００２６】
請求項４に係る走行玩具用車体は、上記車体本体の発光体装着部位に外装されるレンズ部を有し、上記固定部材は上記レンズ部に設けられると共に上記車体本体を貫通して上記支持部材に係合して配置され、上記支持部材は上記レンズ部を介して上記車体本体に固定されているので、部品点数を減少でき、コストを低減化することができる。
【００２７】
請求項５若しくは請求項６に係る走行玩具用車体は、車体本体は、ポリエチレンテレフタレート製であり、又はポリカーボネート製であるので、軽量で仕上がりの奇麗な完成品を提供できる。
【００２８】
請求項７に係る走行玩具用車体は、発光体は、ＬＥＤであることを特徴とするので、電力の消費量は微小で足りるものであって、電池のような少ない電力容量の電源であっても長時間使用できる。
【図面の簡単な説明】
【図１】全体を示す一部切截側面図である。
【図２】図１Ａ−Ａ線に沿う拡大断面図である。
【図３】図２Ｂ−Ｂ線に沿う拡大断面図である。
【図４】図２Ｃ−Ｃ線に沿う拡大断面図である。
【図５】要部の分解斜視図である。
【図６】別異の構成の固定部材を示す斜視図である。
【符号の説明】
１　車体本体
２　発光体
３　支持部材
４　固定部材
６　フロント部分
７　発光体装着部位
８　凹所
９　挿通孔
１０　挿通孔
１２　上側傾斜面
１３　下側傾斜面
１４　左側面
１５　右側面
１６　凹所
１７　装着孔
１８　貫通孔
１９　貫通孔
２１　レンズ部
２２　固定用脚部
２３　固定用脚部
２４　コーキング剤
２５　抜止部
２６　走行車用駆動装置
２７　車輪
２８　シャーシ
２９　走行玩具
３０　走行玩具用車体
３１　電池
３３　固定部材
３４　レンズ部
３５　固定用脚部
３６　固定用脚部
【図１】
0003096889.tif 000003
【図２】
0003096889.tif 000004
【図３】
0003096889.tif 000005
【図４】
0003096889.tif 000006
【図５】
0003096889.tif 000007
【図６】
0003096889.tif 000008
【手続補正書】
【提出日】平成15年5月8日(2003.5.8)
【手続補正１】
【補正対象書類名】明細書
【補正対象項目名】請求項２
【補正方法】変更
【補正の内容】
【請求項２】
上記発光体は支持部材に固定され、上記支持部材は上記車体本体に固定しうる固定部材により固定されていることを特徴とする請求項１記載の走行玩具用車体。